(57)【特許請求の範囲】
【請求項１】
開口を有してその内部に開閉器を収納した箱体と、前記開閉器のハンドルを露出する窓孔を有するとともに周縁部に沿って突条部を有しこの突条部に切欠かれて前記窓孔側と外周面とに両端が開口する切欠凹部を有して前記開口を閉塞した蓋体と、前記突条部よりも内方に設けられて前記窓孔を開閉自在に閉塞するカバーと、前記切欠凹部に収納されたランプと、前記切欠凹部を塞ぐ透光性のランプカバーとを備え、
前記カバーは、前記蓋体の前記切欠凹部と反対側の周縁部に回動自在に支持され、前記カバーを開閉操作する開閉操作部を前記ランプカバーに対向した位置に設けたことを特徴とする分電盤。
【請求項２】
前記開閉操作部は、前記ランプカバーに対する対向面に前記ランプカバーを閉じた状態で指先が挿入可能な指先挿入凹部を形成している請求項１記載の分電盤。
【請求項３】
前記ランプを装着するランプソケットは、前記蓋体の周縁部に沿った方向の一端部に取付けられ、前記ランプの先端は他端部に向けて配置されている請求項１または請求項２記載の分電盤。
【請求項４】
前記ランプソケットを差し込ませて挟持する挟持部を前記切欠凹部に有し、前記ランプソケットを差し込んだときに凹凸嵌合する抜止め用の凹凸嵌合部を前記ランプソケットおよび前記挟持部の接触面に設けた請求項３記載の分電盤。
【請求項５】
前記切欠凹部の前記ランプソケットの近傍の壁面に前記蓋体の裏面に連通するリード線挿通孔を形成した請求項３または請求項４記載の分電盤。
【発明の詳細な説明】
【０００１】
【発明の属する技術分野】
この発明は、周囲が暗くなったときに発光するランプを有する住宅用分電盤等の分電盤に関するものである。
【０００２】
【従来の技術】
近年、集合住宅やマンション等に使用される住宅用分電盤は、分電盤の周囲が暗くなったときにランプを点灯させ、分岐開閉器が強制開極されたときに分岐開閉器を再投入させ易いように分電盤の位置を示したり、分電盤自体が玄関付近に配設されるので、緊急時の脱出用の常夜灯（非常灯）として使用されたりしている。
【０００３】
従来のこの種の分電盤は、例えば図１０に示すように、ハンドル１００を開口側として主幹開閉器１０１および分岐開閉器１０２を収納した一面に開口を有する箱体１０３と、この箱体１０３の開口面の周囲に取着された１０４と、この枠体１０４の内面側で箱体１０３の開口を塞ぐように取着される中蓋１０５と、枠体１０４に回動自在に支持され中蓋１０５および枠体１０４を塞ぐ外蓋１０６とを備えている。そして、１０７は枠体１０４に取付けられ主幹開閉器１０１に電気的に接続されたランプであり、外蓋１０６を閉じた状態で枠体１０４と外蓋１０６との間に隙間があり、ランプ１０７の光で下方向と内部方向とを照らすことができるようになっている。１０８は外蓋１０６に取着された明るさ検知用のセンサであり、周囲が暗くなると、センサ１０８が検知し、ランプ１０７を自動的に点灯するように構成している。
【０００４】
【発明が解決しようとする課題】
しかし、この分電盤は、ランプ１０７が枠体１０４から突出するとともに露出した状態で取着されているので、外蓋１０６を開いて内部の主幹開閉器１０１や分岐開閉器１０２等を操作したり検査したりするときに手や物が当たってランプ１０７が破損することがあった。
【０００５】
また外蓋１０６を閉じれば外蓋１０６でランプ１０７が隠れてしまうので正面側が照明できず、分電盤の位置は分かるものの常夜灯としての役目が十分ではなかった。
したがって、この発明の目的は、ランプが破損しにくく、ランプが常夜灯の明かりとして十分に使用できる分電盤を提供することである。
【０００６】
【課題を解決するための手段】
請求項１の分電盤は、開口を有してその内部に開閉器を収納した箱体と、前記開閉器のハンドルを露出する窓孔を有するとともに周縁部に沿って突条部を有しこの突条部に切欠かれて前記窓孔側と外周面とに両端が開口する切欠凹部を有して前記開口を閉塞した蓋体と、前記突条部よりも内方に設けられて前記窓孔を開閉自在に閉塞するカバーと、前記切欠凹部に収納されたランプと、前記切欠凹部を塞ぐ透光性のランプカバーとを備え、
前記カバーが、前記蓋体の前記切欠凹部と反対側の周縁部に回動自在に支持され、前記カバーを開閉操作する開閉操作部を前記ランプカバーに対向した位置に設けたことを特徴とするものである。
【０００７】
請求項１の分電盤によれば、ランプが切欠凹部に収納されランプカバーで被覆されているため、人の手や物が当たりにくくなり、ランプ破損を防止することができる。またランプの光をランプカバーを透過して正面ならびに窓孔側および外周側から視認でき、常夜灯や非常灯としての役目を十分に果たすことができる。また、夜間などの暗がりの状態でカバーを開くときに、開閉操作部の位置がランプにより周囲に光が届くことによって容易にわかる。
【０００８】
請求項２の分電盤は、請求項１において、前記開閉操作部が、前記ランプカバーに対する対向面に前記ランプカバーを閉じた状態で指先が挿入可能な指先挿入凹部を形成しているものである。
【０００９】
請求項２の分電盤によれば、請求項１の効果のほか、ランプカバーを閉じた状態でカバーの開閉作業を行なうことができる。
請求項３の分電盤は、請求項１または請求項２において、前記ランプを装着するランプソケットが、前記蓋体の周縁部に沿った方向の一端部に取付けられ、前記ランプの先端は他端部に向けて配置されているものである。
【００１０】
請求項３の分電盤によれば、請求項１または請求項２の効果のほか、ランプの高さ方向が切欠凹部の蓋体の周方向であるので、蓋体の周縁部の高さを低く設定でき、分電盤自体のコンパクト化が図れる。
請求項４の分電盤は、請求項３おいて、前記ランプソケットを差し込ませて挟持する挟持部を前記切欠凹部に有し、前記ランプソケットを差し込んだときに凹凸嵌合する抜止め用の凹凸嵌合部を前記ランプソケットおよび前記挟持部の接触面に設けたものである。
【００１１】
請求項４の分電盤によれば、請求項３の効果のほか、ランプソケットを挟持部に差し込むだけで凹凸嵌合によりランプソケットを挟持部に固定することができるのでランプソケットの取着作業が容易になる。
請求項５の分電盤は、請求項３または請求項４において、前記切欠凹部の前記ランプソケットの近傍の壁面に前記蓋体の裏面に連通するリード線挿通孔を形成したものである。
【００１２】
請求項５の分電盤によれば、請求項３または請求項４の効果のほか、ランプソケットに近い位置の裏面側からリード線挿通孔を通してリード線をランプソケットに導くことができるので、リード線がランプに絡まるおそれがなく、またランプの光を妨げないとともに断線しにくくなる。
【００１３】
【発明の実施の形態】
この発明の一実施の形態を図１ないし図９により説明する。すなわち、この分電盤は、箱体１と、蓋体２と、カバー３と、ランプ４と、ランプカバー５とを有する。
箱体１は、開口６を有してその内部に開閉器７を収納している。実施の形態では図８に示すように、箱体１の取付姿勢における上壁を切欠いて通線板８を取着し、通線板８に多数の通線孔９を形成し、下壁に通線用のノックアウト孔部９′（図２参照）を形成している。また開閉器７は、ブレーカを用いた主幹開閉器１０、分岐開閉器１１およびランプ用開閉器１２からなっている。これらの開閉器７はハンドル１８を開口６側としてフレーム１４に列設されるもので、略中央に主幹開閉器１０が位置し、正面からみて右側に多数の分岐開閉器１１が並び、主幹開閉器１０の左側にリミッタ取付板１３を介してランプ用開閉器１２が取付けられている。また分岐開閉器１１は主幹開閉器１０の出力側に接続され、ランプ用開閉器１２は主幹開閉器１０の入力側に接続され、ランプ用開閉器１２の出力側はその近傍に設置したコネクタ受け７３に接続されている。そして、フレーム１４の両側に設けた取付け段部１５が箱体１の両側壁の上端部に載せられ、取付け段部１５に形成しただるま形孔１６ａを通してねじ等の取付具１６により取着されている。７０は蓋体取付部である。
【００１４】
蓋体２は、開閉器７のハンドル１８を露出する窓孔１９を有するとともに周縁部に沿って突条部２０を有し、この突条部２０に切欠かれて窓孔１９側と外周面とに両端が開口する切欠凹部２１を有して、開口６を閉塞している（図４参照）。実施の形態では、突条部２０を蓋体２の全周に設けてその内側を凹部１７とし、その底面に窓孔１９を形成している。また蓋体２は図１および図２に示すように箱体１よりも平面形状が大きく形成され、周縁部の全周が箱体１よりも外方に張出している。５９は取付部７０への取付具、６８はリミッタ露出部である。
【００１５】
カバー３は、突条部２０よりも内方側で窓孔１９を開閉自在に閉塞するものである。実施の形態のカバー３は蓋体２の切欠凹部２１と反対側の周縁部に回動自在に支持され、カバー３を開閉操作する開閉操作部２２をランプカバー５に対向した位置に設けている。回動機構については、軸５７を蓋体２側に設け（図７参照）、軸受け５８をカバー３に設け、これらを軸方向の３箇所に配置している。また開閉操作部２２は、ランプカバー５に対する対向面にランプカバー５を閉じた状態で指先が挿入可能な指先挿入凹部２３（図２参照）を形成している。カバー３の開閉端は凹部１７に嵌合する壁部５３を設け、閉じた状態で壁部５３が凹部１７の内側面に当たるようにして、容易にカバー３が開かないようにしている（図７参照）。３５はカバー３の開閉側に突設した被挟持片５１を挟持保持する保持部である。
【００１６】
ランプ４は、切欠凹部２１に収納されている。ランプ４を装着するランプソケット２４が、蓋体２の周縁部に沿った方向の一端部２５に取付けられ、ランプ４の先端は他端部２６に向けて配置されている。図４および図５に示すようにランプソケット２４を差し込ませて挟持する挟持部２７を切欠凹部２１に有し、ランプソケット２４を差し込んだときに凹凸嵌合する抜止め用の凹凸嵌合部２８をランプソケット２４および挟持部２７の接触面に設けている。ランプソケット２４はランプ４の口金４ａをねじ込ませる筒部３６を突出した長方体をなし、挟持部２７は切欠凹部２１の底面側に設けられてランプソケット２４の一側面を支持する一対の受け台３０と切欠凹部２１の一端部２５より受け台３０に対向するように突出してランプソケット２４の他側面を支持する弾性を有する挟持片３１からなり、受け台３０はランプソケット２４の角縁に係合する係合突部３２を設けている。また凹凸嵌合部２８は挟持片３１に設けられた嵌合凹部３３と、ランプソケット２４に設けた嵌合凸部３４からなっている。したがって、ランプソケット２４を挟持部２７に差し込むと、挟持片３１が弾性変形して受け台３０と挟持片３１との間に係合突部３２にガイドされながら挟持されるとともに嵌合凸部３４が嵌合凹部３３に凹凸嵌合して固定される。６５はリード線接続孔である。
【００１７】
一方、切欠凹部２１のランプソケット２４の近傍の壁面すなわちランプソケット２４が取付けられている一端部２５に蓋体２の裏面に連通するリード線挿通孔３７を形成している。リード線挿通孔３７を通してリード線３８が切欠凹部２１内に導き出され、ランプソケット２４に接続される。ランプソケット２４は明るさを検知するセンサ３９を介してランプ用開閉器１２に接続されるもので、ランプソケット２４に接続されたリード線３８は図６に示すように蓋体２の箱体１よりも外方に突出した周縁部の裏面の溝４０を通ってセンサ３９に接続され、蓋体２の孔７５，７６を通してリード線３８の先端に設けたコネクタ７３ａをコネクタ受け７３に接続し、これによりランプ用開閉器１２に接続している。リード線３８を配線する溝４０が箱体１よりも外方に突出した部分であるため箱体１にリード線３８が当たって断線する等のおそれがない。センサ３９は図６に示すように蓋体２の上端部の切欠５６の裏面に設置され、周囲が暗くなると所定量以下の明るさを検知して接点がオンとなりランプ用開閉器１２の２次側の電力をランプ４に給電し点灯する。６６はリード線押さえである。
【００１８】
ランプカバー５は透光性であり、切欠凹部２１を塞ぐ。実施の形態のランプカバー５は蓋体２の突条部２０の断面形状に合わせてコ字形に形成され、一端に角形の取付孔部６０を設け、他端に引掛爪６１を設けている。一方、切欠凹部２１の底面に取付孔部６０を引っ掛ける突部６２（図６）を設け、引掛爪６１を引っ掛ける引掛孔６３を形成している。
【００１９】
この実施の形態によれば、ランプ４が切欠凹部２１に収納されランプカバー５で被覆されているため、人の手や物が当たりにくくなり、ランプ破損を防止することができる。またランプ４の光をランプカバー５を透過して正面ならびに窓孔１９側および外周側から視認でき、常夜灯や非常灯としての役目を十分に果たすことができる。
【００２０】
また夜間などの暗がりの状態でカバー３を開くときに、開閉操作部２２の位置がランプ４により周囲に光が届くことによって容易にわかる。
さらにランプカバー５を閉じた状態でカバー３の開閉作業を行なうことができる。
またランプ４の高さ方向が蓋体２の周方向であるので、蓋体２の突条部２０の高さを低く設定でき、分電盤自体のコンパクト化が図れる。
【００２１】
さらにランプソケット２４を挟持部２７に差し込むだけで凹凸嵌合によりランプソケット２４を挟持部２７に固定することができるのでランプソケット２４の取着作業が容易になる。
またランプソケット２４に近い位置の裏面側からリード線挿通孔３７を通してリード線３８をランプソケット２４に導くことができるので、リード線３８がランプ４に絡まるおそれがなく、またランプ４の光を妨げないとともに断線しにくくなる。
【００２２】
なお、この発明において、凹凸嵌合部２８は挟持片３１に嵌合凸部を設け、ランプソケット２４に嵌合凹部を設けてもよい。また突条部２０は蓋体２の全周に形成したが、一部のみであってもよい。
【００２３】
【発明の効果】
請求項１の分電盤によれば、ランプが切欠凹部に収納されランプカバーで被覆されているため、人の手や物が当たりにくくなり、ランプ破損を防止することができる。またランプの光をランプカバーを透過して正面ならびに窓孔側および外周側から視認でき、常夜灯や非常灯としての役目を十分に果たすことができる。また、夜間などの暗がりの状態でカバーを開くときに、開閉操作部の位置がランプにより周囲に光が届くことによって容易にわかる。
【００２４】
請求項２の分電盤によれば、請求項１の効果のほか、ランプカバーを閉じた状態でカバーの開閉作業を行なうことができる。
請求項３の分電盤によれば、請求項１または請求項２の効果のほか、ランプの高さ方向が切欠凹部の蓋体の周方向であるので、蓋体の周縁部の高さを低く設定でき、分電盤自体のコンパクト化が図れる。
【００２５】
請求項４の分電盤によれば、請求項３の効果のほか、ランプソケットを挟持部に差し込むだけで凹凸嵌合によりランプソケットを挟持部に固定することができるのでランプソケットの取着作業が容易になる。
請求項５の分電盤によれば、請求項３または請求項４の効果のほか、ランプソケットに近い位置の裏面側からリード線挿通孔を通してリード線をランプソケットに導くことができるので、リード線がランプに絡まるおそれがなく、またランプの光を妨げないとともに断線しにくくなる。
【図面の簡単な説明】
【図１】この発明の一実施の形態のカバーを閉じた状態の斜視図である。
【図２】分電盤の取付状態の底面図である。
【図３】分電盤のカバーを開いた状態の正面図である。
【図４】ランプカバーを外した状態の部分斜視図である。
【図５】ランプカバーおよびランプソケットを外した状態の部分斜視図である。
【図６】蓋体の裏面図である。
【図７】分電盤の断面図である。
【図８】その内器を取付ける前の分電盤の分解斜視図である。
【図９】蓋体を外した状態の正面図である。
【図１０】従来例の開蓋状態の斜視図である。
【符号の説明】
１    箱体
２    蓋体
３    カバー
４    ランプ
５    ランプカバー
６    開口
７    開閉器
１０    主幹開閉器
１１    分岐開閉器
１２    ランプ用開閉器
１７    凹部
１８    ハンドル
１９    窓孔
２０    突条部
２１    切欠凹部
２２    開閉操作部
２３    指先挿入凹部
２４    ランプソケット
２５    一端部
２６    他端部
２７    挟持部
２８    凹凸嵌合部
３３    嵌合凹部
３４    嵌合凸部
３７    リード線挿通孔
３８    リード線
３９    センサ
【図１】
0003575182.tif 000002
【図２】
0003575182.tif 000003
【図３】
0003575182.tif 000004
【図４】
0003575182.tif 000005
【図５】
0003575182.tif 000006
【図６】
0003575182.tif 000007
【図７】
0003575182.tif 000008
【図８】
0003575182.tif 000009
【図９】
0003575182.tif 000010
【図１０】
0003575182.tif 000011